(57)【特許請求の範囲】
【請求項１】
床上空間に設置された空調機と、
前記床上空間に設置され、電子機器が格納され、前記空調機から床下空間に供給されて前記床下空間から前記床上空間に供給される空気が吸気される吸気部、及び吸気された空気が排気される排気部を備えるラックと、
前記床上空間に設置され、前記排気部を囲うアイルキャップと、
前記アイルキャップから前記空調機に通じる排気経路と、
前記空調機への電力の供給が停止したときに、前記排気経路の一部を前記床上空間に対して開放する開放装置と、
前記電子機器の稼働時の負荷を監視し、前記空調機への電力の供給が停止したときに、前記床上空間に対して開放される前記排気経路の一部から前記電子機器までの距離に基づき、前記電子機器の負荷を制御する負荷制御部と、
を含むことを特徴とするデータセンタ空調システム。
【請求項２】
前記開放装置は、
前記排気経路の一部に設けられたパネルと、
前記空調機への電力の供給状態に基づき、前記パネルの開閉を制御する開閉制御部と、
を含むことを特徴とする請求項１に記載のデータセンタ空調システム。
【請求項３】
前記開閉制御部は、
前記パネルを開閉駆動する駆動部と、
前記空調機への電力の供給をモニタするモニタ部と、
前記モニタ部のモニタ結果に基づき、前記駆動部を制御する制御部と、
前記駆動部、前記モニタ部及び前記制御部に電源を供給するバッテリと、
を含むことを特徴とする請求項２に記載のデータセンタ空調システム。
【請求項４】
前記開閉制御部は、
前記空調機と共に電力の供給を受け、
前記空調機に電力が供給されている間は、供給される電力で前記パネルが前記排気経路の一部を閉鎖した状態に固定され、
前記空調機への電力の供給が停止したときには、電力の供給停止によって前記パネルの固定が解除され、前記排気経路の一部が開放される、
ことを特徴とする請求項２に記載のデータセンタ空調システム。
【請求項５】
床上空間に設置された空調機と、
前記床上空間に設置され、電子機器が格納され、前記空調機から床下空間に供給されて前記床下空間から前記床上空間に供給される空気が吸気される吸気部、及び吸気された空気が排気される排気部を備えるラックと、
前記床上空間に設置され、前記排気部を囲うアイルキャップと、
前記アイルキャップから前記空調機に通じる排気経路と、
前記空調機への電力の供給状態に基づき、前記排気経路の一部を前記床上空間に対して開放する開放装置と、
前記電子機器の稼働時の負荷を監視して前記電子機器の負荷を制御する負荷制御部と、
を含むデータセンタ空調システムの管理方法であって、
前記空調機への電力の供給が停止したときに、前記開放装置によって、前記排気経路の一部を前記床上空間に対して開放し、
前記空調機への電力の供給が停止したときに、前記負荷制御部によって、前記床上空間に対して開放される前記排気経路の一部から前記電子機器までの距離に基づき、前記電子機器の負荷を制御する、
ことを特徴とするデータセンタ空調システムの管理方法。
【発明の詳細な説明】
【技術分野】
【０００１】
本発明は、サーバ等の電子機器が収容されるデータセンタの空調システム、及びそのようなデータセンタの空調システムの管理方法に関する。
【背景技術】
【０００２】
サーバ等の電子機器は、例えば、ラックに格納され、室内を空調する空調機を備えたデータセンタに収容される。ラックに格納されて稼働する電子機器は、ラックの所定面側から吸気される空気を利用して冷却され、その冷却の結果生じる暖気は、ラックの別の面側に排気される。従来、冷却効率向上の観点から、ラックの吸気面側（冷気通路（コールドアイル））又は排気面側（暖気通路（ホットアイル））にアイルキャップを設ける（アイルキャッピング）技術が知られている。
【０００３】
このほか、室内全体を空調する空調機に加え、吸排気方向をラックと逆向きにして設置したラック型空調機と、コールドアイルやホットアイルに設置したファンとを用いて冷却を行う空調システム、電源遮断時用のバッテリを備えた空調システム等も知られている。また、室内を複数のエリアに分割し、エリア毎に給気量、排気量を制御する空調システム等も知られている。
【先行技術文献】
【特許文献】
【０００４】
【特許文献１】特開２００９−２５７７１８号公報
【特許文献２】特開平８−２８５３４３号公報
【発明の概要】
【発明が解決しようとする課題】
【０００５】
電子機器を格納するラックのホットアイル側にアイルキャップを設けるホットアイルキャッピング方式の空調システムを採用したデータセンタの場合、ラックからの排気は、ホットアイルから空調機に送られて空調機で空調され、空調された空気がコールドアイルに給気される。
【０００６】
しかし、ホットアイルキャッピング方式では、停電等によって空調機への電力の供給が停止した場合、ラックからの排気がホットアイルから停止状態の空調機に送られる。停止状態の空調機に送られた排気は、所望の空調が行われずに空調機を経由し、電子機器を格納したラック付近まで達すると、ラック及びそれに格納された電子機器へと吸い込まれ得る。空調機で所望の空調が行われなかった空気が電子機器に吸い込まれると、電子機器の温度が上昇する可能性があり、そのような温度上昇が生じた場合、電子機器の破損のリスクが高くなる。
【課題を解決するための手段】
【０００７】
本発明の一観点によれば、床上空間に設置された空調機と、前記床上空間に設置され、電子機器が格納され、前記空調機から床下空間に供給されて前記床下空間から前記床上空間に供給される空気が吸気される吸気部、及び吸気された空気が排気される排気部を備えるラックと、前記床上空間に設置され、前記排気部を囲うアイルキャップと、前記アイルキャップから前記空調機に通じる排気経路と、前記空調機への電力の供給が停止したときに、前記排気経路の一部を前記床上空間に対して開放する開放装置と、前記電子機器の稼働時の負荷を監視し、前記空調機への電力の供給が停止したときに、前記床上空間に対して開放される前記排気経路の一部から前記電子機器までの距離に基づき、前記電子機器の負荷を制御する負荷制御部と、を含むデータセンタ空調システムが提供される。更に、前記空調機への電力の供給が停止したときに、前記開放装置によって、前記排気経路の一部を前記床上空間に対して開放し、前記空調機への電力の供給が停止したときに、前記負荷制御部によって、前記床上空間に対して開放される前記排気経路の一部から前記電子機器までの距離に基づき、前記電子機器の負荷を制御するデータセンタ空調システムの管理方法が提供される。
【発明の効果】
【０００８】
開示の技術によれば、空調機への電力の供給が停止したときに、電子機器を格納するラックから空調機までの経路の一部を開放することで、ラックからの排気が停止状態の空調機を経由してラック及び電子機器に吸気される量を減少させることが可能になる。それにより、空調機への電力の供給が停止したときの電子機器の温度上昇を抑制することが可能になり、温度上昇による電子機器の破損のリスクを低減することが可能になる。
【図面の簡単な説明】
【０００９】
【図１】データセンタの一例を模式的に示す図（その１）である。
【図２】データセンタの一例を模式的に示す図（その２）である。
【図３】電子機器の吸気最高温度の時間変化を示す図（その１）である。
【図４】電子機器の吸気最高温度の時間変化を示す図（その２）である。
【図５】ラック列吸気面側からのデータセンタ内の温度分布の一例を示す図である。
【図６】パネル開放装置の第１の例を示す図である。
【図７】パネル開放装置の第２の例を示す図である。
【図８】パネル開放装置の第３の例を示す図（その１）である。
【図９】パネル開放装置の第３の例を示す図（その２）である。
【図１０】電子機器の吸気最高温度の時間変化を示す図（その３）である。
【図１１】データセンタのレイアウトの一例を示す図である。
【発明を実施するための形態】
【００１０】
図１及び図２はデータセンタの一例を模式的に示す図である。
ここで、図１は空調機への電力の供給が行われているとき（通電時）の状態を示す図、図２は空調機への電力の供給が停止したとき（停電時）の状態を示す図である。
【００１１】
尚、空調機への電力の供給が停止したときとは、次のような場合がある。例えば、データセンタへの電力の供給が停止したことによって、データセンタ内の他の装置と共に、空調機に電力が供給されなくなってしまった場合がある。また、データセンタ内の他の装置（全部又は一部）には電力が供給されているが、何らかの理由で空調機には電力が供給されなくなってしまった場合がある。また、空調機への電力の供給が完全に停止してしまった場合のほか、空調機を安定に動作させることができない、停電を示すレベルまで電力の供給量が低下してしまった場合等も含まれる。
【００１２】
まず図１を参照して通電時のデータセンタ１００及びその空調システムについて説明する。
図１に示すデータセンタ１００は、空調機１１０、ラック列１２０、及びホットアイルキャップ１３０を有している。
【００１３】
データセンタ１００には、支柱１０１の上に床パネル１０２を配置した二重床構造のフリーアクセスフロアが採用されており、その床上空間（室）１０３に、空調機１１０、ラック列１２０、及びホットアイルキャップ１３０が設置される。
【００１４】
床下空間１０４は、ケーブル類の引き回しに利用されるほか、空調機１１０からの空気が入ってくるようになっている。床面の一部にはグリル１０５が設けられており、このグリル１０５を通して、床下空間１０４の空気を床上空間１０３に給気することができるようになっている。尚、勿論、床下空間１０４と床上空間１０３との間の空気の行き来は、このグリル１０５を介した経路に限るものではない。
【００１５】
また、床上空間１０３の上には、天井１０６で仕切られた天井裏空間１０７が設けられており、この天井裏空間１０７は、後述するラック列１２０からの排気を空調機１１０まで送るための排気経路の一部として用いられる。
【００１６】
空調機１１０は、データセンタ１００の室内、主に床下空間１０４と床上空間１０３を空調する。図１及び図２には、空調機１１０として、室内機のみを図示し、室外機についてはその図示を省略している。尚、室内機には、蒸発器（熱交換器）及び送風器が設けられ、室外機には、圧縮器及び凝縮器（熱交換器）が設けられる。これらは冷媒配管で接続される。
【００１７】
通電時の空調機１１０では、圧縮器で圧縮された高温高圧冷媒が、凝縮器に送られ、室外の空気との熱交換によって凝縮される。凝縮された低温低圧冷媒は、蒸発器に送られ、室内の空気（後述するラック列１２０からの排気）との熱交換によって蒸発される。この蒸発の際に冷却された空気が送風器で床下空間１０４に送り出される。蒸発器で蒸発された冷媒は、圧縮器に戻され、再び圧縮されて凝縮器へと送られる。
【００１８】
ラック列１２０は、一列に並設された複数（ここでは一例として符号Ｄ〜Ｈの５つ）のラック１２１を含んでいる。各ラック１２１は、多段式となっており、各段１２１ａにサーバ等の電子機器１４０を格納することができるようになっている。各ラック１２１は、所定の面が吸気を行うための吸気面１２１ｂとされ、別の面が排気を行うための排気面１２１ｃとされる。例えば、ラック１２１の、電子機器１４０の搬出入を行う前面（正面）が吸気面１２１ｂとされ、背面や上面、この例では背面が排気面１２１ｃとされる。複数のラック１２１は、各々の前面（吸気面１２１ｂ）を同方向に向けて一列に並べられ、ラック列１２０とされる。
【００１９】
ラック列１２０は、グリル１０５の位置に合わせて設置される（或いはラック列１２０の位置に合わせて床面にグリル１０５が設置される）。通電時には、上記のように、空調機１１０から空調された空気（冷気）が床下空間１０４に送り出される。空調機１１０から床下空間１０４に送り出された冷気は、グリル１０５を通してラック列１２０の吸気面１２１ｂ側に供給される。ラック列１２０には、このようにグリル１０５を介して供給された冷気が吸気面１２１ｂから吸い込まれる。これにより、ラック列１２０の各ラック１２１に格納された電子機器１４０の冷却（過熱抑制）が行われ、電子機器１４０が安全に動作する温度に保たれるようになる。ラック列１２０の排気面１２１ｃ側には、電子機器１４０に吸い込まれ、その冷却に用いられて放出された空気（暖気）が排気される。データセンタ１００では、ラック列１２０の吸気面１２１ｂ側がコールドアイル１００ｂ、排気面１２１ｃ側がホットアイル１００ｃとなる。
【００２０】
尚、データセンタ１００には、停電時にも一定期間電子機器１４０の動作を継続させることができるよう、無停電電源装置が設けられている。
ホットアイルキャップ１３０は、ラック列１２０の各ラック１２１の排気面１２１ｃ側に、排気面１２１ｃを囲うように、設置される。排気面１２１ｃからは、ラック１２１の吸気面１２１ｂから入り、中の電子機器１４０に吸い込まれて放出される暖気が排気される。ホットアイルキャップ１３０は、ラック１２１の排気面１２１ｃから排気される暖気を囲い込み、その暖気が床上空間１０３の温度を上昇させ、温度上昇した空気が吸気面１２１ｂから吸い込まれるのを抑制する。
【００２１】
ホットアイルキャップ１３０は、天井裏空間１０７と連通するように設置されている。この天井裏空間１０７は、これにレタン１０７ａで連通するダクト２００で床上空間１０３の空調機１１０と連結されている。ホットアイルキャップ１３０で囲い込まれた暖気は、天井裏空間１０７に送られ、ダクト２００を通って空調機１１０に送られる。通電時には、このようにホットアイルキャップ１３０、天井裏空間１０７及びダクト２００を通って空調機１１０に送られる、ラック列１２０からの暖気が、空調機１１０で空調され、床下空間１０４及びグリル１０５を通ってラック列１２０に吸い込まれていく。
【００２２】
次に、図２を参照して停電時のデータセンタ１００及びその空調システムについて説明する。
まずデータセンタ１００では、停電で空調機１１０への電力の供給が停止した場合、ラック列１２０の電子機器１４０の動作が、一定期間は無停電電源装置によって継続される。一方、空調機１１０の動作は、停電によって停止する。その場合、上記図１に示した状態のままでは、ラック列１２０から排気された暖気が、ホットアイルキャップ１３０、天井裏空間１０７及びダクト２００を通って停止状態の空調機１１０に流入し、充分空調されずに床下空間１０４に供給されてしまうようになる。そのような空調が充分でない空気が、床下空間１０４からグリル１０５を介してラック列１２０の吸気面１２１ｂに吸い込まれ易くなるため、電子機器１４０が吸い込む空気の温度が上昇し、電子機器１４０が過熱により破損するリスクが高まってしまう。
【００２３】
そこで、このデータセンタ１００では、図２に示すように、停電時に、天井裏空間１０７と空調機１１０とを連結しているダクト２００の前面のパネル２０１が開放されるようになっている。通電時にはダクトの２００のパネルを閉鎖し、停電時にそのパネル２０１を開放する機構を設けることで、停電時の電子機器１４０の破損リスクを低減する。尚、このように停電時にダクト２００のパネル２０１を開放する機構の詳細については後述する。
【００２４】
データセンタ１００では、空調機１１０への電力の供給が停止すると、ダクト２００のパネル２０１が開放される。パネル２０１は、ホットアイルキャップ１３０から空調機１１０までの排気経路の途中に位置している。空調機１１０への電力の供給が停止した際、空調機１１０の手前に位置するパネル２０１を開放することで、ラック列１２０から排気された暖気は、空調機１１０に送られるほか、パネル２０１が開放された部分から床上空間１０３に放出される。そのため、ダクト２００を通して空調機１１０に送られる、ラック列１２０からの暖気の量を、減少させることが可能になる。これにより、ラック列１２０から排気された暖気が、充分空調されずに空調機１１０から床下空間１０４に供給され、更にグリル１０５を介してラック列１２０の吸気面１２１ｂに吸い込まれるのを抑制し、電子機器１４０の過熱による破損のリスクを低減する。
【００２５】
図３及び図４は電子機器の吸気最高温度の時間変化を示す図である。
ここで、図３には、停電時にダクト２００のパネル２０１を開放しなかった場合（図１の状態のままとした場合）における、ラック列１２０の各ラック１２１（Ｄ〜Ｈ）に格納された電子機器１４０の吸気最高温度（吸気温度の最高値）の時間変化を例示している。図４には、停電時にダクト２００のパネル２０１を開放した場合（図２の状態とした場合）における、ラック列１２０の各ラック１２１（Ｄ〜Ｈ）に格納された電子機器１４０の吸気最高温度の時間変化を例示している。
【００２６】
停電で空調機１１０への電力の供給が停止すると、図３及び図４に示すように、Ｄ〜Ｈの各ラック１２１に格納された電子機器１４０の吸気最高温度の値は、停電から僅かな時間（１０秒〜２０秒程度）で上昇し始め、その後、時間の経過に伴って上昇していく。
【００２７】
今、仮に電子機器１４０の許容温度が３５℃であるとする。この場合、停電時にダクト２００のパネル２０１を開放しないとすれば、図３より、停電から１２０秒程度までに電子機器１４０の冷却措置、例えばその時間内に空調機１１０への電力供給を復帰する等の措置を講じる必要がある。
【００２８】
データセンタ１００には、このような停電時に稼働する自家発電設備を備えておくことができる。しかし、停電時にそのような自家発電設備で空調機１１０に電力を供給するようにしている場合でも、停電から自家発電設備による電力供給が行われるまでにはタイムラグが生じる。図３の例で、電子機器１４０の許容温度を３５℃とした場合、停電から１２０秒程度までに自家発電設備による電力供給が開始されなければ、電子機器１４０の破損のリスクが高まることになる。
【００２９】
これに対し、停電時にダクト２００のパネル２０１を開放する場合には、図４より、電子機器１４０の許容温度を３５℃とすれば、停電から１４５秒程度までに電子機器１４０の冷却措置が講じられればよいことになる。例えば、その時間内に自家発電設備による電力供給を開始するようにすればよい。このように、許容温度に達するまでの時間を延ばすことで、電子機器１４０の破損のリスクを低減することが可能になる。
【００３０】
図５にラック列吸気面側からのデータセンタ内の温度分布の一例を示す。
停電開始（０秒）から同時刻（６０秒、１２０秒、１８０秒）では、ダクト２００のパネル２０１を開放する場合の方が、閉鎖したままの場合に比べ、パネル２０１の開放部分から暖気が放出される（Ｘ部）。その結果、床上空間１０３の温度が全体的に上昇する。しかし、停止状態の空調機１１０を経由して床下空間１０４に入った空気（Ｙ１部）や、床下空間１０４からラック列１２０の吸気面１２１ｂに吸い込まれる空気（Ｙ２部）の温度は、パネル２０１を開放する場合の方が、閉鎖したままの場合に比べ、より低くなる。データセンタ１００では、このように停電時にダクト２００のパネル２０１を開放することで、停止状態の空調機１１０を経由してラック列１２０に吸い込まれる暖気の量を減らし、電子機器１４０の過熱を抑制する。
【００３１】
続いて、停電時にダクト２００のパネル２０１を開放する機構（パネル開放装置）について説明する。
図６はパネル開放装置の第１の例を示す図である。
【００３２】
図６に示すパネル開放装置３００Ａは、ダクト２００本体に、モータ３０１に連動して回動する連動軸３０２が設けられており、この連動軸３０２に連結された折り畳み式のアーム３０３にパネル２０１が連結された構造を有している。ダクト２００がパネル２０１で閉鎖されている状態（図６（Ａ））からモータ３０１が駆動されると、連動軸３０２が回動し、アーム３０３が伸びて、パネル２０１が開放される（図６（Ｂ））。モータ３０１の駆動は、制御部３０４によって制御される。
【００３３】
空調機１１０には、供給される電力をモニタするモニタ部３０５が取り付けられている。モニタ部３０５には、電力量計を用いることができるほか、電流センサ等を用いることもできる。
【００３４】
このようなモニタ部３０５の出力（モニタ結果）が、制御部３０４に送られる。制御部３０４は、モニタ部３０５からの出力が、空調機１１０への電力の供給が停止したことを示す値である場合には、モータ３０１を駆動する制御を行い、上記のようなモータ３０１、連動軸３０２及びアーム３０３の動作でパネル２０１を開放する。パネル開放装置３００Ａには、停電時にこのようなパネル２０１の開閉が行えるように、モータ３０１、制御部３０４及びモニタ部３０５に電源を供給するバッテリ３０６が設けられる。
【００３５】
尚、制御部３０４には、空調機１１０への電力の供給が停止（完全に停止、或いは空調機１１０が安定に動作しないレベルまで低下）したか否かを判定するための閾値を予め設定しておくことができる。制御部３０４は、その閾値と、モニタ部３０５からの出力とを比較し、出力が閾値を下回る場合に、モータ３０１を駆動するための駆動信号を生成し、その駆動信号を受けてモータ３０１が駆動される。制御部３０４の処理機能は、例えば、コンピュータ、或いはＤＳＰ（Digital Signal Processor）、ＡＳＩＣ（Application Specific Integrated Circuit）、ＰＬＤ（Programmable Logic Device）等の電子回路を用いて、実現することができる。
【００３６】
図７はパネル開放装置の第２の例を示す図である。
図７に示すパネル開放装置３００Ｂは、パネル２０１の下端部（固定端側）がダクト２００本体に軸支され、パネル２０１の上端部（自由端側）に電磁石３１０が取り付けられた構造を有している。ダクト２００本体の、パネル２０１が閉鎖されたときのその上端部の電磁石３１０に対応する位置にも同様に、電磁石３１１が取り付けられている。空調機１１０に電力が供給されている間は、これらの電磁石３１０，３１１にも通電が行われ、その間、パネル２０１は、電磁石３１０，３１１に働く引力によって、ダクト２００本体に、ダクト２００を閉鎖した状態で、固定される。
【００３７】
パネル２０１の上端部の電磁石３１０付近には、ワイヤ３１２の一端が取り付けられている。このワイヤ３１２は、ダクト２００本体側面の電磁石３１１付近に掛けられた後、他端が、ダクト２００本体側面のパネル２０１の下端部付近に設けられたモータ３１３に取り付けられている。モータ３１３が駆動されることで、ワイヤ３１２が巻き取られ、それにより、パネル２０１はその下端部を軸に回動され、上端部がダクト２００本体側に持ち上げられる。
【００３８】
モータ３１３の駆動は、位置センサ３１４及び制御部３１５を用いて制御される。位置センサ３１４は、ダクト２００本体側に設けられた発光部（光照射部）３１４ａ、及びパネル２０１側に設けられた受光部（光検出部）３１４ｂを備える。制御部３１５は、モータ３１３の駆動と停止を切り換える回路を含み、光検出部３１４ｂからの出力に基づき、当該回路を用いてモータ３１３の駆動と停止を切り換える。
【００３９】
パネル開放装置３００Ｂでは、上記のように、空調機１１０に電力が供給されている間は、電磁石３１０，３１１でパネル２０１がダクト２００本体に固定され、パネル２０１でダクト２００が閉鎖された状態が維持される（図７（Ａ））。一方、空調機１１０への電力の供給が停止した場合には、電磁石３１０，３１１への通電が切れ、パネル２０１とダクト２００本体との固定が解除され、パネル２０１がその自重によって開放される（図７（Ｂ））。
【００４０】
尚、その際は、パネル２０１が開放される分だけ予めワイヤ３１２をモータ３１３から繰り出しておいたり、パネル２０１の開放に伴ってワイヤ３１２がモータ３１３から繰り出されるようなモータ３１３を選択しておいたりすることができる。
【００４１】
停電から復帰し、空調機１１０への電力の供給が再開されたときには、電磁石３１０，３１１、モータ３１３、位置センサ３１４及び制御部３１５に通電が開始される。通電が開始されると、制御部３１５によってモータ３１３が駆動され、ワイヤ３１２が巻き取られ、パネル２０１の上端部がダクト２００本体側に持ち上げられていく。また、通電が開始されると、位置センサ３１４が作動し、光検出部３１４ｂの出力が制御部３１５に送られる。制御部３１５は、ダクト２００本体側の光照射部３１４ａの光が、持ち上げられていくパネル２０１側の光検出部３１４ｂで検出されたことを示す出力を、光検出部３１４ｂから受信すると、モータ３１３を停止する。モータ３１３の停止と共に、パネル２０１側とダクト２００本体側に設けられた、通電状態の電磁石３１０，３１１に所定の引力が働き、モータ３１３の停止後は、電磁石３１０，３１１の引力でパネル２０１が持ち上げられ、ダクト２００が閉鎖される。そして、通電の間、その閉鎖された状態が維持される（図７（Ａ））。
【００４２】
尚、このようにモータ３１３の停止後に電磁石３１０，３１１でパネル２０１が閉鎖されるように、位置センサ３１４の取り付け位置、電磁石３１０，３１１の性能等を設定しておけばよい。
【００４３】
図８及び図９はパネル開放装置の第３の例を示す図である。
図８に示すパネル開放装置３００Ｃは、図９に示すような、複数の電磁石３２１をワイヤ３２２で連結したもの（鎖）３２０を用いて、パネル２０１の開閉が行われる構造を有している。パネル２０１は、その下端部（固定端側）がダクト２００本体に軸支され、ダクト２００本体に開閉可能とされている。鎖３２０は、その一端がパネル２０１の上端部（自由端側）に取り付けられ、他端がダクト２００本体に取り付けられている。
【００４４】
鎖３２０は、電磁石３２１に通電が行われている場合には、ワイヤ３２２を介して隣接する電磁石３２１に引力が働いて縮んだ状態になる（図９（Ａ））。一方、鎖３２０は、電磁石３２１に通電が行われていない場合には、ワイヤ３２２が伸びきった状態になる（図９（Ｂ））。電磁石３２１には、空調機１１０に電力が供給されている間、通電が行われるようになっている。
【００４５】
パネル開放装置３００Ｃでは、空調機１１０に電力が供給されている間は、電磁石３２１への通電で鎖３２０が縮んだ状態になっており（図９（Ａ））、パネル２０１がダクト２００本体に固定され、ダクト２００が閉鎖された状態が維持される（図８（Ａ））。一方、空調機１１０への電力の供給が停止した場合には、電磁石３２１への通電が切れ、パネル２０１とダクト２００本体との固定が解除され、パネル２０１がその自重で開放され（図８（Ｂ））、鎖３２０は伸びた状態になる（図９（Ｂ））。停電から復帰し、空調機１１０への電力の供給が再開されたときには、再び電磁石３２１への通電で鎖３２０が縮んだ状態になり、パネル２０１でダクト２００が閉鎖され、通電の間、その状態が維持される。
【００４６】
尚、このような伸縮の過程で鎖３２０の電磁石３２１及びワイヤ３２２が絡まり合わないように、図９（Ｃ），（Ｄ）に示すように、鎖３２０の周囲を、ベローズ等、蛇腹状で伸縮性と柔軟性のある筒状部材３３０で覆うようにしてもよい。
【００４７】
以上例示したようなパネル２０１の開放装置を用いることで、停電時に自動的に、ダクト２００のパネル２０１を開放することができる。それにより、ラック列１２０からホットアイルキャップ１３０に排気された暖気が、停止状態の空調機１１０を経て、ラック列１２０の電子機器１４０に吸い込まれていってしまう量を抑えることができる。
【００４８】
即ち、空調機１１０の手前でパネル２０１を開放することで、ホットアイルキャップ１３０からの暖気を床上空間１０３に放出し、停止状態の空調機１１０に入る暖気の量を減らす。開放されたパネル２０１の部分から床上空間１０３に放出された暖気は、床上空間１０３の冷気と混合される。そして、停止状態の空調機１１０に入る暖気の量が減ることで、床下空間１０４、グリル１０５を通ってラック列１２０の吸気面１２１ｂから吸い込まれる暖気の量を減らす。
【００４９】
このようにしてラック列１２０の電子機器１４０に吸い込まれる暖気の量を抑えることで、電子機器１４０の温度上昇のスピードを抑え、電子機器１４０の過熱による破損のリスクを低減する。これにより、停電時の電子機器１４０、ひいてはそのデータの安全性を高めたデータセンタ１００が実現される。
【００５０】
尚、上記のようなデータセンタ１００において、停電時に、ある電子機器１４０の稼働による負荷を、別の電子機器１４０に分配する、分配制御を行うようにしてもよい。例えば電子機器１４０がサーバである場合、サーバ仮想化技術を用い、一のサーバの負荷を他のサーバに分散する。この場合、各電子機器（サーバ）１４０の稼働による負荷（ＣＰＵ（Central Processing Unit）稼働率等）を監視してその負荷に応じて電子機器１４０の稼働を制御する制御部が用いられる。この制御部の処理機能は、データセンタ１００に設置した負荷分散装置１４１、或いはデータセンタ１００の外部にインターネットを介して設置した負荷分散装置等を用いて実現することができる。
【００５１】
停電が発生すると、ラック列１２０のうち、比較的空調機１１０に近いラック１２１（例えば図２のＧやＨのラック１２１）付近では、開放されたパネル２０１から排気された暖気の一部が床上空間１０３の冷気と混じり合う。そのため、このように空調機１１０から比較的に近いラック１２１には、比較的遠いラック１２１（例えば図２のＤやＥのラック１２１）に比べると、暖められた空気が吸い込まれ易く、従って、格納されている電子機器１４０の温度も上昇し易くなる。
【００５２】
そこで、上記のような仮想化技術を用い、比較的空調機１１０に近いラック１２１に格納されている電子機器１４０の負担の一部又は全部を、比較的空調機１１０から遠いラックに格納されている電子機器１４０へと移動する。
【００５３】
図１０は負荷を移動させた場合における電子機器の吸気最高温度の時間変化を示す図である。
ここでは、Ｈのラック１２１に格納されている電子機器１４０の負荷の３分の２を、より遠いＤのラック１２１に格納されている電子機器１４０へと移動している。また、Ｇのラック１２１に格納されている電子機器１４０の負荷の３分の１を、より遠いＥのラック１２１に格納されている電子機器１４０へと移動している。図１０には、このように負荷を移動させた場合における、各ラック１２１の電子機器１４０の、吸気最高温度の時間変化を例示している。
【００５４】
停電で空調機１１０への電力の供給が停止すると、上記図４等と同様、この図１０の場合にも、Ｄ〜Ｈの各ラック１２１に格納された電子機器１４０の吸気最高温度の値は、停電から僅かな時間で上昇し始め、その後、時間の経過に伴って上昇していく。仮に電子機器１４０の許容温度が３５℃であるとすると、上記のように負荷を移動させた場合には、当該許容温度に到達するまでの時間が１５０秒を上回るようになり、負荷を移動させなかった場合（図４）に比べ、その時間を更に延ばすことができる。従って、停電時の電子機器１４０及びそのデータの安全性をより高めることが可能になる。
【００５５】
尚、以上の説明では、ダクト２００の前面のパネル２０１を開閉するようにしたが、ダクト２００の側面のパネルを開閉するようにしてもよい。ダクト２００のいずれのパネルを開閉するかは、ダクト２００やラック列１２０の配置、パネルが開放されたとき暖気の放出方向等に基づいて設定してもよい。
【００５６】
また、以上の説明では、ダクト２００のパネル２０１を開閉するようにしたが、ホットアイルキャップ１３０から空調機１１０に通じる排気経路の一部であれば、上記のようなパネル２０１以外の部分（天井１０６の一部等）を開閉するようにしてもよい。このような部分を開放することによっても、上記同様の効果を得ることが可能である。
【００５７】
また、以上の説明では、１列のラック列１２０とその排気面１２１ｃを囲うホットアイルキャップ１３０を例示したが、データセンタ１００の床上空間１０３には、複数のラック列１２０及びホットアイルキャップ１３０が設置されていてもよい。
【００５８】
図１１はデータセンタのレイアウトの一例を示す図である。
データセンタ１００には、図１１に示すように、複数のラック列１２０が並設されていてもよい。その場合、複数のラック列１２０は、隣接するラック列１２０の互いの吸気面１２１ｂ同士、排気面１２１ｃ同士が対向するように配置される。吸気面１２１ｂ同士が対向する領域がコールドアイル１００ｂ、排気面１２１ｃ同士が対向する領域がホットアイル１００ｃとなる。
【００５９】
各コールドアイル１００ｂの床面にグリル１０５が設けられ、通電時には、上記のような床下空間１０４を経て、グリル１０５から空調機１１０で空調された冷気が給気される。各ホットアイル１００ｃには、ホットアイルキャップ１３０が設置され、各ホットアイルキャップ１３０内の、ラック列１２０から排気された暖気が、上記のような天井裏空間１０７を経て、ダクト２００を通って空調機１１０へと送られる。例えばこのようなダクト２００にパネル２０１の開放装置を設け、停電時にその部分を開放させることで、各ラック列１２０の電子機器１４０に吸い込まれる暖気の量が抑えられ、電子機器１４０及びそのデータの安全性が高められるようになる。
【００６０】
以上説明した実施の形態に関し、更に以下の付記を開示する。
（付記１）  空調機と、
電子機器が格納され、前記空調機からの空気が吸気される吸気部、及び吸気された空気が排気される排気部を備えるラックと、
前記排気部を囲うアイルキャップと、
前記アイルキャップから前記空調機に通じる排気経路と、
前記空調機への電力の供給が停止したときに、前記排気経路の一部を開放する開放装置と、
を含むことを特徴とするデータセンタ空調システム。
【００６１】
（付記２）  前記開放装置は、
前記排気経路の一部に設けられたパネルと、
前記空調機への電力の供給状態に基づき、前記パネルの開閉を制御する開閉制御部と、
を含むことを特徴とする付記１に記載のデータセンタ空調システム。
【００６２】
（付記３）  前記開閉制御部は、
前記パネルを開閉駆動する駆動部と、
前記空調機への電力の供給をモニタするモニタ部と、
前記モニタ部のモニタ結果に基づき、前記駆動部を制御する制御部と、
前記駆動部、前記モニタ部及び前記制御部に電源を供給するバッテリと、
を含むことを特徴とする付記２に記載のデータセンタ空調システム。
【００６３】
（付記４）  前記開閉制御部は、
前記空調機と共に電力の供給を受け、
前記空調機に電力が供給されている間は、供給される電力で前記パネルが前記排気経路の一部を閉鎖した状態に固定され、
前記空調機への電力の供給が停止したときには、電力の供給停止によって前記パネルの固定が解除され、前記排気経路の一部が開放される、
ことを特徴とする付記２に記載のデータセンタ空調システム。
【００６４】
（付記５）  天井裏空間を有し、
前記アイルキャップは、前記天井裏空間に連通し、
前記排気経路は、前記天井裏空間、及び前記天井裏空間と前記空調機とを連結するダクトを含み、
前記開放装置によって開放される前記排気経路の一部は、前記ダクトの一部である、
ことを特徴とする付記１乃至４のいずれかに記載のデータセンタ空調システム。
【００６５】
（付記６）  前記ラックが配置される床下に床下空間を有し、
前記空調機からの空気は、前記床下空間に供給され、前記床下空間から前記ラックが配置される床上空間に供給されて、前記吸気部から吸気される、
ことを特徴とする付記１乃至５のいずれかに記載のデータセンタ空調システム。
【００６６】
（付記７）  空調機と、
電子機器が格納され、前記空調機からの空気が吸気される吸気部、及び吸気された空気が排気される排気部を備えるラックと、
前記排気部を囲うアイルキャップと、
前記アイルキャップから前記空調機に通じる排気経路と、
前記空調機への電力の供給状態に基づき、前記排気経路の一部を開放する開放装置と、
を含むデータセンタ空調システムの管理方法であって、
前記空調機への電力の供給が停止したときに、前記開放装置によって、前記排気経路の一部を開放する、
ことを特徴とするデータセンタ空調システムの管理方法。
【００６７】
（付記８）  前記開放装置は、
前記排気経路の一部に設けられたパネルと、
前記パネルの開閉を制御する開閉制御部と、
を含み、
前記空調機への電力の供給状態に基づき、前記開閉制御部によって、前記パネルを開閉する、
ことを特徴とする付記７に記載のデータセンタ空調システムの管理方法。
【００６８】
（付記９）  前記データセンタ空調システムは、天井裏空間を有し、
前記アイルキャップは、前記天井裏空間に連通し、
前記排気経路は、前記天井裏空間、及び前記天井裏空間と前記空調機とを連結するダクトを含み、
前記開放装置によって開放される前記排気経路の一部は、前記ダクトの一部である、
ことを特徴とする付記７又は８に記載のデータセンタ空調システムの管理方法。
【００６９】
（付記１０）  前記データセンタ空調システムは、前記ラックが配置される床下に床下空間を有し、
前記空調機からの空気は、前記床下空間に供給され、前記床下空間から前記ラックが配置される床上空間に供給されて、前記吸気部から吸気される、
ことを特徴とする付記７乃至９のいずれかに記載のデータセンタ空調システムの管理方法。
【００７０】
（付記１１）  前記電子機器の稼働時の負荷を監視して前記電子機器の負荷を制御する負荷制御部により、前記空調機への電力の供給が停止したときに、開放される前記排気経路の一部から前記電子機器までの距離に基づき、前記電子機器の負荷を制御する、
ことを特徴とする付記７乃至１０のいずれかに記載のデータセンタ空調システムの管理方法。
【００７１】
（付記１２）  他の電子機器が設けられている場合で、前記他の電子機器の方が、前記電子機器よりも、開放される前記排気経路の一部からの距離が遠い場合には、前記電子機器の負荷を、前記他の電子機器に分散する、
ことを特徴とする付記１１に記載のデータセンタ空調システムの管理方法。
【符号の説明】
【００７２】
１００  データセンタ
１００ｂ  コールドアイル
１００ｃ  ホットアイル
１０１  支柱
１０２  床パネル
１０３  床上空間
１０４  床下空間
１０５  グリル
１０６  天井
１０７  天井裏空間
１０７ａ  レタン
１１０  空調機
１２０  ラック列
１２１  ラック
１２１ａ  段
１２１ｂ  吸気面
１２１ｃ  排気面
１３０  ホットアイルキャップ
１４０  電子機器
１４１  負荷分散装置
２００  ダクト
２０１  パネル
３００Ａ，３００Ｂ，３００Ｃ  パネル開放装置
３０１，３１３  モータ
３０２  連動軸
３０３  アーム
３０４，３１５  制御部
３０５  モニタ部
３０６  バッテリ
３１０，３１１，３２１  電磁石
３１２，３２２  ワイヤ
３１４  位置センサ
３１４ａ  光照射部
３１４ｂ  光検出部
３２０  鎖
３３０  筒状部材
【図１】
0005811658.tif 000002
【図２】
0005811658.tif 000003
【図３】
0005811658.tif 000004
【図４】
0005811658.tif 000005
【図５】
0005811658.tif 000006
【図６】
0005811658.tif 000007
【図７】
0005811658.tif 000008
【図８】
0005811658.tif 000009
【図９】
0005811658.tif 000010
【図１０】
0005811658.tif 000011
【図１１】
0005811658.tif 000012